(57)【要約】【課題】導光体とケース体の係合外れやガタツキを防止することが可能な指示計器を提供する。【解決手段】駆動装置２と、表示板４と、指針５と、ケース体３と、複数の光源Ｌと、これら光源Ｌの光を指針５へと導いて発光させる導光体６と、を備え、導光体６に設けた突起部（第１の係合部）６６をケース体３に設けた係止部（第１の係合部）３７に係合してなる指示計器において、導光体６の外周部６３に突起部６６を設け、ケース体３に外周部６３に対向する対向壁３３を設け、この対向壁３３に係止部３７を設け、対向壁３３の周囲に対向壁３が反導光体側に変形するのを抑制する取付部材７を設けた。【選択図】図３
2011080903.tif 000002
【特許請求の範囲】
【請求項１】
指針軸を突設してなる駆動装置と、この駆動装置の前方に配置され指標部を有する表示板と、前記指針軸に連結される回転基部と前記指標部を指示する指示部とを有する透光性材料からなる指針と、前記表示板を背後から支持すると共に前記回転基部に対応した空間部を有するケース体と、前記空間部内に前記回転基部に対応するように配置される光源と、この光源と前記回転基部との間に前記指針軸を取り巻くように配置され前記光源の光を前記回転基部へと導いて前記指示部を発光させる導光体と、を備え、前記導光体に設けた第１の係合部を前記ケース体に設けた第２の係合部に係合することにより前記導光体を前記ケース体に取り付けてなる指示計器において、前記導光体の外周部に前記第１の係合部を設け、前記ケース体に前記外周部に対向する対向壁を設け、この対向壁に前記第２の係合部を設け、前記対向壁の周囲に前記対向壁の反導光体側への変形を抑える取付部材を設けてなることを特徴とする指示計器。
【請求項２】
前記取付部材が前記表示板の前記ケース体からの浮き上がりを防止する抑え部を有することを特徴とする請求項１記載の指示計器。
【請求項３】
前記取付部材が弾性フックを有し、前記ケース体には前記弾性フックが係合することで前記取付部材を前記ケース体に装着する受部を設けたことを特徴とする請求項１記載の指示計器。
【発明の詳細な説明】
【技術分野】
【０００１】
本発明は、例えば自動車やオートバイに搭載される指示計器に関し、特に指針の回転軌道内中央部に表示部材を備えるタイプの指示計器に関する。
【背景技術】
【０００２】
この種の指示計器として例えば下記特許文献１に記載されたものが知られている。この指示計器は、指針軸を突設してなる駆動装置と、この駆動装置の前方に配置され指標部を有する表示板と、指針軸に連結される回転基部と指標部を指示する指示部とを有する透光性材料からなる指針と、表示板を背後から支持すると共に回転基部に対応した空間部を有するケース体と、空間部内に回転基部に対応するように配置される複数の光源と、これら光源と回転基部との間に指針軸を取り巻くように配置され光源の光を回転基部へと導いて指示部を発光させる筒形の導光体とを備えている。導光体の内壁部には、指針軸側に突出する突起部（第１の係合部）が形成される一方、ケース体には導光体の内壁部に沿って回転基部側へと延びる筒状部が形成され、この筒状部に突起部と係合する係止部（第２の係合部）を設け、導光体の突起部をケース体の係合部に係合することにより導光体をケース体に取り付けている。
【先行技術文献】
【特許文献】
【０００３】
【特許文献１】特開２００１−３１１６３３号公報
【発明の開示】
【発明が解決しようとする課題】
【０００４】
しかしながら、前記特許文献１に記載の指示計器では、導光体の突起部をケース体の係止部に係合することにより導光体をケース体に取り付けているため、部品の寸法誤差や熱影響等に起因して導光体の突起部とケース体の係合部との係合が外れたり、ガタツキが発生することが懸念される。
【０００５】
そこで、本発明は前述した問題点に着目し、導光体とケース体の係合外れやガタツキを防止することが可能な指示計器を提供することを目的とする。
【課題を解決するための手段】
【０００６】
本発明は、指針軸を突設してなる駆動装置と、この駆動装置の前方に配置され指標部を有する表示板と、前記指針軸に連結される回転基部と前記指標部を指示する指示部とを有する透光性材料からなる指針と、前記表示板を背後から支持すると共に前記回転基部に対応した空間部を有するケース体と、前記空間部内に前記回転基部に対応するように配置される光源と、この光源と前記回転基部との間に前記指針軸を取り巻くように配置され前記光源の光を前記回転基部へと導いて前記指示部を発光させる導光体と、を備え、前記導光体に設けた第１の係合部を前記ケース体に設けた第２の係合部に係合することにより前記導光体を前記ケース体に取り付けてなる指示計器において、前記導光体の外周部に前記第１の係合部を設け、前記ケース体に前記外周部に対向する対向壁を設け、この対向壁に前記第２の係合部を設け、前記対向壁の周囲に前記対向壁の反導光体側への変形を抑える取付部材を設けてなることを特徴とする。
このように構成することにより、取付部材にて前記対向壁が反導光体側に変形するのを抑えることができるため、導光体の第１の係合部とケース体の第２の係合部との係合外れやガタツキを防止することができる。
【０００７】
また本発明は、前記取付部材が前記表示板の前記ケース体からの浮き上がりを防止する抑え部を有することを特徴とする。
このように構成することにより、前記表示板の浮き上がりを防止する専用部品を設ける必要がないため、コストダウンを達成することができる。
【０００８】
また本発明は、前記取付部材が弾性フックを有し、前記ケース体には前記弾性フックが係合することで前記取付部材を前記ケース体に装着する受部を設けたことを特徴とする。
このように構成することにより、取付部材の取り付けを容易にすることができる。
【発明の効果】
【０００９】
本発明によれば、導光体とケース体の係合外れやガタツキを防止することが可能な指示計器を提供することができる。
【図面の簡単な説明】
【００１０】
【図１】本発明の一実施形態による指示計器の正面図。
【図２】図１の断面図（ハッチング省略）。
【図３】図２の要部拡大図（ハッチング省略）。
【図４】同実施形態における取付部材単体を示す斜視図。
【図５】同実施形態において表示板と取付部材を取り外した際の要部斜視図。
【発明を実施するための形態】
【００１１】
本発明の一実施形態による指示計器は、例えば車両の速度計であり、回路基板１と、駆動装置２と、ケース体３と、表示板４と、指針５と、導光体６と、取付部材７とを備えている。
【００１２】
回路基板１は、紙フェノールやガラスエポキシ等の絶縁部材に図示しない回路パターンを印刷してなる硬質の配線基板からなり、駆動装置２が固定支持される他、例えば発光ダイオードからなり、表示板４と指針５を照明する複数の光源Ｌや図示しない各種回路素子が実装されている。なおこの場合、指針５を照明する光源Ｌは駆動装置２の後述する指針軸２１の周囲を取り巻くように適宜間隔を空けて複数配置されている。
【００１３】
駆動装置２は、例えばステッピングモータからなり、回路基板１の背面側に固定配置されると共に回路基板１を貫通する指針軸２１を備えている。
【００１４】
ケース体３は、例えば乳白色の合成樹脂からなり、回路基板１の前方側に配置され、表示板４を背後から支持する。またケース体３は、光源Ｌの光を表示板４と指針６に導く反射部材としての機能も有している。さらにケース体３には、筒部３１と、受壁３２と、対向壁３３とを有し、これら筒部３１と、受壁３２と、対向壁３３とにより、断面「Ｈ」形の箇所を形成している。
【００１５】
筒部３１は、指針５の後述する回転基部に対応して指針軸２１の方向に沿って延びる円筒形に形成されている。
【００１６】
受壁３２は、筒部３１の内周壁の中程から指針軸２１の方向に向けて回路基板１と平行に延びており、取付部材７の後述する弾性フックが貫通する貫通孔３４が形成され、この貫通孔３４の背後周縁に弾性フックが係合する受部３５が形成されている。
【００１７】
対向壁３３は、ケース体３内に指針５の後述する回転基部に対応し光源Ｌや導光体６を配置するための空間部を規定するもので、全体が指針軸２１に沿って前記回転基部側に延びる筒形を呈している。この対向壁３３には、図５に示すように複数のスリット３６が形成され、これらスリット３６を通じて導光体６の後述する複数のフランジ部のうち一つが位置決めされると共に他のフランジ部が受壁３２上に搭載される。またスリット３６は、対向壁３３を撓みやすくする。
【００１８】
またスリット３６にて分断された対向壁３３のうち、導光体６の後述する突起部に対応する対向壁３３には、指針軸２１側に突出する係止部（第２の係合部）３７が形成されている。
【００１９】
表示板４は、例えば合成樹種からなる透明基板にスクリーン印刷を行うことにより指針５の指示対象となる目盛や文字等の指標部４１とその背景を設けた周知な印刷パネルからなり、指針５の前記回転基部に対応する開口部４２が形成されている。
【００２０】
指針５は、例えば透光性合成樹脂からなり、指針軸２１に連結される回転基部５１と指標部４１を指示する指示部５２とを有すると共に、回転基部６１の周囲を覆う遮光カバー５３を有している。この遮光カバー５３は、回転基部５１の背面を覆わないように構成されている。また回転基部５１には、光源Ｌからの光を受光して指示部５２側へと反射する図示しない反射部が形成されている。
【００２１】
導光体６は、例えば透光性合成樹脂からなり、光源Ｌと回転基部５１との間に配置されている。
この導光体６は、指針軸２１を取り巻く筒形（円環形）であり、その背面は光源Ｌ対向している。回転基部５１と対向する導光体６箇所は、複数の凸レンズ部６１を有し、これら凸レンズ６１は一つの光源Ｌに対し一つが対応している。
【００２２】
導光体６は、前記のように指針軸２１を取り巻く筒形であるため、指針軸２１が通る円筒面を形成する内周部６２と、この内周部６２のラジアル方向外側に位置し対向壁３３と対面する円筒面を形成する外周部６３とを有し、この外周部６３には、複数のフランジ部６４，６５と、突起部（第１の係合部）６６とがそれぞれ形成されている（図５参照）。
【００２３】
フランジ部６４，６５は、ラジアル方向外側に突出する突片として複数形成され、受壁３２の前面に当接し導光体６を指針軸２１の軸方向に位置決めする。このうちフランジ部６４は、軸方向の位置決めだけでなく、スリット３６に嵌まることにより導光体６を円周方向に位置決めする。
【００２４】
突起部６６は、指針軸２１側とは反対側となる対向壁３３側に突出し、ケース体３の係合部３７と係合する。
【００２５】
取付部材７は、例えば遮光性合成樹脂からなり、筒部３１の内壁に沿う円筒形状の外側周壁部７１と、受壁３２に沿う円板形状の底壁部７２と、対向壁３３の外壁に沿う円筒形状の内側周壁部（規制部）７３とを備えている。
【００２６】
外側周壁部７１の端部には、外周壁部７１から屈曲して表示板４の前面に沿って延びる円環フランジ形状の抑え部７４が形成されている。この抑え部７４は、取付部材７をケース体３に取り付けた際、表示板４のケース体３からの浮き上がりを防止する。
【００２７】
底壁部７２の背面であって貫通孔３４に対応する箇所には、先端に係り部を有する弾性フック７５が背後に向けて突出形成され、この弾性フック７５が受部３５に係合することにより、取付部材７がケース体３に取り付け固定される。
【００２８】
内側周壁部７３は、取付部材７の取り付け状態において対向壁３３を導光体６（指針軸２１）側に押圧するか、または対向壁３３が導光体６から離間する外側方向（反導光体側）に変形するのを抑える。
【００２９】
次に導光体６と取付部材７の取り付けを説明する。
導光体６の取り付けは、指針５を指針軸２１に取り付ける前に行われ、前方側から導光体６の中空部を指針軸２１に通しながら対向壁３３内に導光体６を挿入し、フランジ部６４，６５が受壁３２の前面に当接し、且つフランジ部６４がスリット３６に嵌まった状態で突起部６６が係合部３７に係合することにより取り付けが完了する。この際、突起部６６と係合部３７には、それぞれ傾斜面が形成されているため、円滑が挿入が可能である。
【００３０】
取付部材７の取り付けは、導光体６の取り付け後に行われ、前方側から筒部３１内に取付部材７を挿入し、抑え部７４が表示板４の開口部４２周縁に当接した状態で弾性フック７５が受部３５に係合することにより、取付部材７がケース体３に取り付け固定される。これにより内側周壁部７３が対向壁３３を指針軸２１側に押圧し、係合外れやガタツキを防止する。
【００３１】
以上のように本実施形態では、指針軸２１を突設してなる駆動装置２と、この駆動装置２の前方に配置され指標部４１を有する表示板４と、指針軸２１に連結される回転基部５１と指標部４１を指示する指示部５２とを有する透光性材料からなる指針５と、表示板４を背後から支持すると共に回転基部５１に対応した空間部を有するケース体３と、前記空間部内に回転基部５１に対応するように配置される複数の光源Ｌと、これら光源Ｌと回転基部５１との間に指針軸２１を取り巻くように配置され光源Ｌの光を回転基部５１へと導いて指示部５２を発光させる導光体６と、を備え、導光体６に設けた突起部（第１の係合部）６６をケース体３に設けた係止部（第２の係合部）３７に係合することにより導光体６をケース体３に取り付けてなる指示計器において、導光体６の外周部６３に指針軸２１側とは反対側に突出する突起部６６を設け、ケース体３に外周部６３に対向する対向壁３３を設け、この対向壁３３に指針軸２１側に突出する係止部３７を設け、対向壁３３の周囲に対向壁３が反導光体側に変形するのを抑制する取付部材７を設けてなることにより、取付部材にて対向壁３３が反導光体側に変形するのを抑え、導光体とケース体との係合外れやガタツキを防止することができる。
【００３２】
また本実施形態では、取付部材７が表示板４のケース体３からの浮き上がりを防止する抑え部７４を有することにより、表示板４の浮き上がりを防止する専用部品を設ける必要がないため、コストダウンを達成することができる。
【００３３】
また本実施形態では、取付部材７が弾性フック７５を有し、ケース体３には弾性フック７５が係合することで取付部材７をケース体３に装着する受部３５を設けたことにより、取付部材７の取り付けを容易にすることができる。
【００３４】
なお本実施形態では、突起部（第１の係合部）６６を指針軸２１側とは反対側となる対向壁３３側に突出形成し、係止部（第２の係合部）３７を指針軸２１側に突出形成したが、各係合部の形状は任意であり、例えば何れか一方を段部としてもよい。
【００３５】
さらに本実施形態では、内側周壁部７３を対向壁３３の反導光体側への変形を抑える規制部としたが、規制部の形状も任意である。
【符号の説明】
【００３６】
１  回路基板
２  駆動装置
３  ケース体
４  表示板
５  指針
６  導光体
７  取付部材
２１  指針軸
３１  筒部
３２  受壁
３３  対向壁
３４  貫通孔
３５  受部
３６  スリット
３７  係止部（第２の係合部）
４１  指標部
４２  開口部
５１  回転基部
５２  指示部
５３  遮光カバー
６１  凸レンズ部
６２  内周部
６３  外周部
６４，６５  フランジ部
６６  突起部（第１の係合部）
７１  外側周壁部
７２  底壁部
７３  内側周壁部（規制部）
７４  抑え部
７５  弾性フック
Ｌ  光源
【図１】
2011080903.tif 000003
【図２】
2011080903.tif 000004
【図３】
2011080903.tif 000005
【図４】
2011080903.tif 000006
【図５】
2011080903.tif 000007